(57)【要約】【課題】電子血圧計において、電源電圧が変動しても、カフの装着状態を正確に判定すること。【解決手段】電子血圧計は、カフの加圧開始から所定時間が経過した時点でのカフの圧力が、カフの加圧開始から所定時間経過後の電源電圧値に基づいて決められる基準値を超えるか否かを判定する判定手段１２を有する。超えていなければ、カフが未装着か、緩く巻かれているとして、血圧測定を中止する。判定手段１２は、基準値算出手段２１、基準値記憶手段２２および比較手段２３を備えている。基準値算出手段２１は、基準値設定テーブルを参照し、電源電圧値測定手段により測定された電源電圧値に基づいて、基準値を求める。基準値記憶手段２２は、基準値算出手段２１により求められた基準値を記憶する。比較手段２３は、基準値記憶手段２２に記憶されている基準値と、圧力検出手段により検出されたカフの圧力とを比較する。【選択図】図２
2008188197.tif 000002
【特許請求の範囲】
【請求項１】
カフと、前記カフを加圧する加圧手段と、前記カフを減圧する減圧手段と、前記カフの圧力を検出する圧力検出手段と、前記カフの加圧開始後に前記圧力検出手段により検出された前記カフの圧力の変化が基準値を満たすか否かを判定する判定手段と、前記判定手段により、前記カフの圧力の変化が前記基準値を満たしていないと判定された場合に、前記加圧手段を停止させ、前記減圧手段を作動させる制御手段と、を備える電子血圧計において、
電源電圧値を測定する電源電圧値測定手段、をさらに備え、
前記電源電圧値測定手段により測定された電源電圧値に応じて前記基準値を変更することを特徴とする電子血圧計。
【請求項２】
前記判定手段は、
前記電源電圧値測定手段により測定された電源電圧値に基づいて前記基準値を計算する基準値算出手段と、
前記基準値算出手段により算出された前記基準値と、前記圧力検出手段により検出された前記カフの圧力とを比較する比較手段と、を備え、
前記判定手段は、前記比較手段による比較の結果、前記カフの圧力が前記基準値以下である場合に、基準値を満たしていないと判定することを特徴とする請求項１に記載の電子血圧計。
【請求項３】
前記判定手段は、前記加圧手段により前記カフの加圧が開始されてからの経過時間を計測する計時手段、をさらに備え、
前記判定手段は、前記計時手段により計測された前記経過時間が所定の時間に達した時点で、前記カフの圧力が前記基準値以下である場合に、基準値を満たしていないと判定することを特徴とする請求項２に記載の電子血圧計。
【請求項４】
前記電源電圧値測定手段は、前記加圧手段により前記カフの加圧が開始されてから所定時間経過後の電源電圧値を測定することを特徴とする請求項１に記載の電子血圧計。
【発明の詳細な説明】
【技術分野】
【０００１】
この発明は、電子血圧計に関し、特に、カフの装着が不適切な場合に血圧の測定を中止する機能を備えた電子血圧計に関する。
【背景技術】
【０００２】
一般に、電子血圧計は、上腕や指や手首等の生体の一部に装着されたカフの加圧中、または一旦加圧したカフの減圧中に、カフの圧力（以下、カフ圧とする）の変動を検出することによって、血圧を測定する構成となっている。正しく血圧測定を行うには、上腕等にカフを適切な締め付け具合で装着する必要がある。カフが緩く装着されていると、動脈の圧迫効率が低下するため、測定値の精度が低くなってしまう。
【０００３】
このようなカフの装着状態が不適切であるために起こる諸問題や、上腕等にカフを巻かないで血圧計の測定開始ボタン等を押してしまったときに起こり得るカフの破損などを回避するために、従来の電子血圧計では、カフの装着状態に応じて血圧測定を中止する機能を備えたものがある。
【０００４】
図１０は、カフの装着状態と加圧中のカフ圧の変化との関係を示す特性図である。図１０に示すように、カフが緩く装着されている場合には、カフが正常に装着されている場合と比べて、カフ圧の上昇の割合が小さくなる。
【０００５】
そこで、このような測定中止機能を有する従来の電子血圧計は、カフの加圧開始から所定時間Δｔが経過した時点のカフ圧を測定し、そのときのカフ圧がある基準値ΔＰｓよりも低ければ、カフの装着が緩いか、またはカフが未装着状態であると判断して、血圧の測定を中止するようになっている。ここで、基準値ΔＰｓは、カフの加圧開始から所定時間Δｔが経過した時点での、カフの装着状態が正常である場合のカフ圧ΔＰｍと、カフの装着状態が正常でない場合のカフ圧ΔＰｍ'との間の値に設定される。
【０００６】
例えば、カフを加圧するための加圧手段が加圧を開始してから所定時間経過時にカフ圧が所定値に達しているか否かを判定し、その結果、カフ圧が所定値以下であると、カフの圧力を減圧する減圧手段を作動させるようにした指用電子血圧計が公知である（例えば、特許文献１参照。）。また、カフ圧の昇圧中に、カフ圧の変化量を検出し、その検出結果に基づいてカフの装着状態を判別し、カフが腕に装着されていないと判別したときに、血圧測定にかかる処理を中断するようにした腕用の電子血圧計が公知である（例えば、特許文献２参照。）。
【０００７】
【特許文献１】特開昭６２−８４７３８号公報（（ニ）問題点を解決するための手段）
【特許文献２】特開平２−１１４９３４号公報（［課題を解決するための手段］）
【発明の開示】
【発明が解決しようとする課題】
【０００８】
しかしながら、上述した従来の電子血圧計では、カフの装着状態を判定するための前記基準値が固定値であるため、以下のような問題点がある。この固定値として、（１）電源である電池の使用範囲の最上限である最高動作電圧で加圧手段を加圧したときに誤判定が起こらないような値と、（２）電池の使用範囲の最下限である最低動作電圧で加圧手段を加圧したときに誤判定が起こらないような値の２つを考えてみる。
【０００９】
前記（１）の場合、電池の劣化によって動作電圧が低くなり、加圧手段の加圧能力が低下すると、カフの装着状態が正常であっても、基準値を超えることができないため、測定中止となってしまう。一方、前記（２）の場合は、電池交換直後のように動作電圧が高く、加圧手段の加圧能力が高いときには、カフの装着状態が緩い場合や未装着の場合でも、基準値を超えてしまうため、正常な装着状態と判定してしまう。つまり、いずれの場合でも、カフの装着状態について誤判定をしてしまうという問題点がある。
【００１０】
この発明は、上述した従来技術による問題点を解消するため、電源電圧が変化しても、カフの装着状態を正確に判定することができる電子血圧計を提供することを目的とする。
【課題を解決するための手段】
【００１１】
上述した課題を解決し、目的を達成するため、請求項１の発明にかかる電子血圧計は、カフと、前記カフを加圧する加圧手段と、前記カフを減圧する減圧手段と、前記カフの圧力を検出する圧力検出手段と、前記カフの加圧開始後に前記圧力検出手段により検出された前記カフの圧力の変化が基準値を満たすか否かを判定する判定手段と、前記判定手段により、前記カフの圧力の変化が前記基準値を満たしていないと判定された場合に、前記加圧手段を停止させ、前記減圧手段を作動させる制御手段と、を備える電子血圧計において、電源電圧値を測定する電源電圧値測定手段、をさらに備え、前記電源電圧値測定手段により測定された電源電圧値に応じて前記基準値を変更することを特徴とする。
【００１２】
また、請求項２の発明にかかる電子血圧計は、請求項１に記載の発明において、前記判定手段は、前記電源電圧値測定手段により測定された電源電圧値に基づいて前記基準値を計算する基準値算出手段と、前記基準値算出手段により算出された前記基準値と、前記圧力検出手段により検出された前記カフの圧力とを比較する比較手段と、を備え、前記判定手段は、前記比較手段による比較の結果、前記カフの圧力が前記基準値以下である場合に、基準値を満たしていないと判定することを特徴とする。
【００１３】
また、請求項３の発明にかかる電子血圧計は、請求項２に記載の発明において、前記判定手段は、前記加圧手段により前記カフの加圧が開始されてからの経過時間を計測する計時手段、をさらに備え、前記判定手段は、前記計時手段により計測された前記経過時間が所定の時間に達した時点で、前記カフの圧力が前記基準値以下である場合に、基準値を満たしていないと判定することを特徴とする。
【００１４】
また、請求項４の発明にかかる電子血圧計は、請求項１に記載の発明において、前記電源電圧値測定手段は、前記加圧手段により前記カフの加圧が開始されてから所定時間経過後の電源電圧値を測定することを特徴とする。
【００１５】
この発明によれば、電池交換後の電源電圧が高い状態でも、電池の劣化により電源電圧が低下した状態でも、カフの装着状態を判定する際のカフの圧力を比較する基準値として、適切な値が得られる。従って、電源電圧に応じてカフの装着状態を判定することができる。
【発明の効果】
【００１６】
本発明にかかる電子血圧計によれば、電源電圧が変動しても、カフの装着状態を正確に判定することができるという効果を奏する。
【発明を実施するための最良の形態】
【００１７】
以下に添付図面を参照して、この発明にかかる電子血圧計の好適な実施の形態を詳細に説明する。なお、以下の実施の形態の説明および添付図面において、同様の構成には同一の符号を付し、重複する説明を省略する。
【００１８】
実施の形態１．
図１は、この発明の実施の形態１にかかる電子血圧計の全体構成を示すブロック図である。図１に示すように、電子血圧計は、カフ１、圧力検出手段２、加圧手段３、減圧手段４、表示手段５、操作手段６およびマイクロコンピュータ（以下、マイコンとする）７を備えている。カフ１と、圧力検出手段２、加圧手段３および減圧手段４とは、チューブ８により接続されている。
【００１９】
加圧手段３および減圧手段４の駆動電圧は、電源９から供給される。電源９は、電池により構成される。ここでは、例えば、公称電圧が１．５ボルトの乾電池等を４本直列に接続した場合を想定する。また、電子血圧計は、電源９の電源電圧を降圧するレギュレータ１０を内蔵している。圧力検出手段２およびマイコン７の駆動電圧は、レギュレータ１０から供給される。
【００２０】
圧力検出手段２は、カフ１の圧力を検出する。圧力検出手段２は、例えば、圧力センサにより構成されている。加圧手段３は、マイコン７の出力信号に基づいて、カフ１を加圧する。加圧手段３は、例えば、空気等の流体（以下、単に空気等とする）をカフ１へ送り出すポンプにより構成されている。
【００２１】
減圧手段４は、マイコン７の出力信号に基づいて、カフ１の圧力を降下させる。減圧手段４は、例えば、カフ１内の空気等を微速および急速に排気する排気弁により構成されている。この排気弁は、血圧測定時に微速排気が可能な開度で開き、カフ１を徐々に減圧する。また、排気弁は、血圧測定終了時および後述する血圧測定の中止時に全開となり、カフ１を急速に減圧する。なお、減圧手段４は、カフ１内の空気等を微速に排気する微速排気弁と、急速に排気する急速排気弁を有する構成となっていてもよい。
【００２２】
表示手段５は、マイコン７により決定された最高血圧値および最低血圧値を表示する。表示手段５は、例えば、液晶表示パネルと、その液晶表示パネルの表示制御を行う制御手段により構成されている。表示手段５は、脈拍数や時間を表示するように構成されていてもよい。
【００２３】
操作手段６は、血圧測定時にユーザにより操作される各種ボタンやスイッチ等を有する。例えば、電源ボタンを兼ねた測定開始ボタンや、ユーザの識別子を入力するためのユーザＩＤボタンや、加圧値を設定するためのスイッチや、測定結果を記憶させるためのメモリーボタンなどが設けられている。
【００２４】
マイコン７は、電源電圧値測定手段１１、判定手段１２、加圧制御手段１３、減圧制御手段１４、脈波検出手段１５および血圧値決定手段１６を備えている。電源電圧値測定手段１１は、カフ１の加圧開始から所定時間経過後の電源９の電圧値を測定する。電源電圧値測定手段１１は、例えば、アナログ−デジタル変換器で構成されており、電源９からアナログ信号として供給される電源電圧値をデジタル信号に変換する。
【００２５】
判定手段１２、加圧制御手段１３、減圧制御手段１４、脈波検出手段１５および血圧値決定手段１６は、マイコン７が血圧測定プログラムを実行することにより実現される。判定手段１２は、カフ１の加圧開始後、所定時間が経過した時点でのカフ１の圧力が、基準値を満たすか否かを判定する。このときの基準値は、カフ１の加圧開始から所定時間経過後の電源電圧値に基づいて決められる。判定手段１２の構成については、後述する。
【００２６】
加圧制御手段１３は、圧力検出手段２により検出されたカフ１の圧力値に基づいて、加圧手段３を構成するポンプの駆動制御を行う。例えば、カフ１の加圧中にカフ１の圧力が所定の圧力に達すると、加圧制御手段１３は、ポンプを停止させる。また、加圧制御手段１３は、上述した判定手段１２による判定の結果、カフ１の圧力が基準値を満たしていない場合に、ポンプを停止させる。
【００２７】
減圧制御手段１４は、カフ１の加圧終了後、排気弁を開いてカフ１から空気等を微速排気させる。その際、減圧制御手段１４は、圧力検出手段２により検出されたカフ１の圧力の減圧速度に基づいて、排気弁の開度の制御を行う。また、減圧制御手段１４は、血圧測定終了時に、血圧値決定手段１６からの通知に応答して、排気弁を全開にする。さらに、減圧制御手段１４は、上述した判定手段１２による判定の結果、カフ１の圧力が基準値を満たしていない場合に、排気弁を全開にする。
【００２８】
脈波検出手段１５は、カフ１の微速減圧時に、圧力検出手段２の出力信号中に含まれる脈波成分を検出する。血圧値決定手段１６は、脈波検出手段１５により検出された脈波成分に基づいて、例えば、周知のオシロメトリック法による血圧決定アルゴリズムにより、最高血圧値および最低血圧値を決定する。決定された血圧値は、表示手段５に表示される。また、血圧値決定手段１６は、血圧値を決定すると、排気弁を全開にさせるために、減圧制御手段１４に測定終了を通知する。
【００２９】
図２は、判定手段１２の構成を示すブロック図である。図２に示すように、判定手段１２は、基準値算出手段２１、基準値記憶手段２２および比較手段２３を備えている。基準値算出手段２１は、電源電圧値測定手段１１により測定された電源電圧値に基づいて、例えば、以下に説明するように、基準値設定テーブルに基づいて基準値を決める。この基準値設定テーブルは、マイコン７に内蔵された不揮発性のメモリに記憶されていてもよいし、マイコン７が実行する血圧測定プログラムに記述されていてもよい。
【００３０】
図３は、基準値設定テーブルの一例を示す図表であり、図４は、電源電圧値と基準値との関係の一例を示す特性図である。これらの図に示すように、特に限定しないが、例えば、電源電圧が４．０ボルト未満のときの基準値はＰ4ｍｍＨｇであり、６．０ボルト以上のときの基準値はＰ6ｍｍＨｇとされている。（図４に示すようにＰ4とＰ6とは、Ｐ4＜Ｐ6の関係となっている。）そして、電源電圧が４．０ボルト以上６．０ボルト未満のときの基準値は、電源電圧をＶBATボルトとすると、次式により求められる。
基準値＝（ＶBAT−４）×（Ｐ6−Ｐ4）／２＋Ｐ4
【００３１】
ただし、ここでは、実施の形態の電子血圧計の最低動作電圧が４．０ボルトである場合を例にしている。従って、基準値を設定する際の電源電圧値の臨界値は、電子血圧計の最低動作電圧によって変わる。また、電源電圧が４．０ボルト以上６．０ボルト未満のときの電源電圧値と基準値との関係は、上記式に限らず、種々変更可能である。例えば、この電源電圧範囲において、基準値がＰ4ｍｍＨｇからＰ6ｍｍＨｇまで段階的に変化したり、曲線状に変化してもよい。
【００３２】
前記基準値記憶手段２２は、基準値算出手段２１により求められた基準値を記憶する。基準値記憶手段２２は、例えば、レジスタにより構成されている。比較手段２３は、基準値記憶手段２２に記憶されている基準値と、圧力検出手段２により検出されたカフ１の圧力とを比較する。比較手段２３の構成は、次のとおりである。
【００３３】
図５は、比較手段２３の構成を示すブロック図である。図５に示すように、比較手段２３は、計時部３１と比較部３２を備えている。計時部３１は、加圧手段３によりカフ１の加圧が開始されてから経過した時間を計測する。計時部３１は、例えば、カフ１の加圧開始時に計時を開始するタイマにより構成されている。このタイマは、計時の開始から所定時間が経過すると、比較部３２に通知する。
【００３４】
比較部３２は、タイマから所定時間経過の通知を受け取ると、圧力検出手段２からカフ圧の検出値を受け取るとともに、基準値記憶手段２２から基準値を受け取り、カフ圧と基準値との比較を行う。比較部３２は、カフ圧が基準値よりも低いときに、上述した判定手段１２による判定結果として、加圧制御手段１３に、ポンプ（加圧手段３）の駆動を停止させる信号を出力するとともに、減圧制御手段１４に、排気弁（減圧手段４）を全開にさせる信号を出力する。
【００３５】
図６は、この発明の実施の形態１にかかる電子血圧計の血圧測定手順を示すフローチャートである。図６に示すように、操作手段６の測定開始ボタン等がユーザにより操作されて血圧測定処理が開始されると、まず、加圧制御手段１３は、加圧手段３を駆動してカフ１の加圧を開始する（ステップＳ１）。カフ１の加圧が開始されたら、所定時間経過後、電源電圧値測定手段１１は、電源９の電圧値を測定する（ステップＳ２）。
【００３６】
次いで、基準値算出手段２１は、図３に示す基準値設定テーブルを参照し、ステップＳ２で得られた電源電圧値に基づいて、基準値を求める。そして、基準値算出手段２１は、基準値記憶手段２２にその基準値を格納する（ステップＳ３）。次いで、タイマの動作状態を示すフラグ（以下、タイマフラグとする）Ｆが初期状態に設定される（ステップＳ４）。タイマフラグＦの初期状態は、フラグを降ろした状態であり、そのときの値は"０"である。
【００３７】
次いで、ステップＳ５に進み、カフ１の装着状態の判定が行われるが、ここでは、カフ１の加圧開始からさほど時間が経過しておらず、判定を行うタイミングに到達していないので、通常の加圧動作が続けられる（ステップＳ５：Ｎｏ）。なお、ステップＳ５の判定手順については、後述する。次いで、カフ１の加圧を停止すべき圧力、すなわち停止圧に到達したか否かの判定が行われる（ステップＳ６）。この段階でもカフ１の加圧開始からさほど時間が経過しておらず、停止圧に達していない（ステップＳ６：Ｎｏ）。従って、カフ１の加圧制御が続けられる（ステップＳ７）。そして、ステップＳ５に戻る。
【００３８】
カフ１の加圧制御が続けられている間に、カフ１の装着状態の判定タイミングに到達すると、その判定が行われる（ステップＳ５）。ここでは、カフ１の装着状態が良好であるとする（ステップＳ５：Ｎｏ）。従って、通常の加圧動作が続けられる。そのうちに停止圧に達すると（ステップＳ６：Ｙｅｓ）、加圧制御手段１３は、加圧手段３によるカフ１の加圧を停止する（ステップＳ８）。同時に、減圧制御手段１４は、減圧手段４による微速排気を開始し、カフ１の減圧を開始する（ステップＳ９）。そして、脈波検出手段１５および血圧値決定手段１６は、カフ１の微速減圧中に、周知の血圧決定アルゴリズムにより、血圧測定を行う（ステップＳ１０）。
【００３９】
最高血圧値と最低血圧値の決定により血圧測定の終了となるが、ここでは、カフ１の減圧開始直後であり、いずれの血圧値も決定していない。従って、血圧測定の終了とはならず（ステップＳ１１：Ｎｏ）、カフ１の減圧制御が続けられる（ステップＳ１２）。そして、ステップＳ１０に戻り、血圧測定が続けられる。血圧測定中に最高血圧値と最低血圧値が決定すると、血圧測定の終了となる（ステップＳ１１：Ｙｅｓ）。次いで、減圧制御手段１４は、減圧手段４の排気弁を全開にしてカフ１を急速に減圧させ（ステップＳ１４）、正常に血圧測定が終了する。
【００４０】
一方、ステップＳ５で、カフ１の装着状態が緩い場合や未装着の場合には（ステップＳ５：Ｙｅｓ）、加圧制御手段１３は、加圧手段３によるカフ１の加圧を停止する（ステップＳ１３）。そして、減圧制御手段１４は、減圧手段４の排気弁を全開にしてカフ１の急速減圧を行い（ステップＳ１４）、血圧測定を中止する。
【００４１】
図７は、図６のステップＳ５におけるカフ装着状態判定手順を示すフローチャートである。図７に示すように、図６のステップＳ４に続いて、カフ装着状態の判定処理が開始されると、まず、タイマフラグＦが立っているか否かが判定される（ステップＳ２１）。タイマフラグＦが立っているときの値は"１"である。ここでは、ステップＳ４でタイマフラグＦの値が"０"に設定された直後であるので、タイマフラグＦの値は"１"になっていない（ステップＳ２１：Ｎｏ）。
【００４２】
計時部３１は、このタイマフラグＦの値が"０"であるときに計時を開始する。従って、ステップＳ２１に続いて、計時部３１は、タイマの値ｔを"０"に設定し、そこから計時を開始する（ステップＳ２２）。次いで、計時中であるので、タイマフラグＦの値は、計時中であることを示す"１"に設定される（ステップＳ２３）。そして、図６のステップＳ６へ進み、加圧制御が続行される。
【００４３】
再び、図６のステップＳ４に続いて、カフ装着状態の判定処理が開始されると、今度は、タイマフラグＦの値が"１"になっている（ステップＳ２１：Ｙｅｓ）。この状態のときに、タイマの値ｔが、予め設定されている値ａに到達していなければ（ステップＳ２４：Ｎｏ）、図６のステップＳ６へ進み、加圧制御が続行される。
【００４４】
再び、図６のステップＳ４に続いて、カフ装着状態の判定処理が開始され、計時中のタイマの値ｔが、予め設定されている値ａに到達すると（ステップＳ２４：Ｙｅｓ）、比較部３２は、その時点でのカフ圧の検出値と、図６のステップＳ３で求められた基準値との比較を行う。そして、比較部３２は、カフ圧が基準値よりも小さいか否かを判定する（ステップＳ２５）。
【００４５】
カフ圧が基準値以上であれば（ステップＳ２５：Ｎｏ）、比較部３２は、カフが正常に巻かれていると判定し、図６のステップＳ６へ進む。そして、加圧制御が続行される。一方、カフ圧が基準値よりも小さければ（ステップＳ２５：Ｙｅｓ）、図６のステップＳ１３へ進み、血圧測定が中止される。
【００４６】
実施の形態２．
実施の形態１にかかる電子血圧計は、カフ１の微速減圧中に血圧を測定するものであるが、実施の形態２にかかる電子血圧計は、カフ１の加圧中に血圧を測定するものである。従って、実施の形態２にかかる電子血圧計の構成は、以下の点で、実施の形態１にかかる電子血圧計の構成と異なる。なお、実施の形態１と同様の構成については同一の符号を付して、重複する説明を省略する。
【００４７】
図８は、この発明の実施の形態２にかかる電子血圧計の全体構成を示すブロック図である。図８に示すように、実施の形態２にかかる電子血圧計では、実施の形態１の減圧手段４に代わる減圧手段として、急速排気手段４１が設けられている。この急速排気手段４１は、チューブ８によりカフ１に接続されている。また、マイコン７の減圧制御手段１４に代えて、マイコン４２には、減圧制御手段として排気制御手段４３が設けられている。
【００４８】
急速排気手段４１は、血圧測定の終了時および後述する血圧測定の中止時に、マイコン４２の出力信号に基づいて、カフ１内の空気等を急速に排気する。急速排気手段４１は、例えば、排気弁により構成されている。急速排気手段４１の駆動電圧は、電源９から供給される。排気制御手段４３は、マイコン４２が血圧測定プログラムを実行することにより、実現される。
【００４９】
実施の形態２では、血圧値決定手段１６は、血圧値を決定すると、加圧制御手段１３へポンプを停止させるための通知を行うとともに、排気制御手段４３へ排気弁を全開にさせるための通知を行う。判定手段１２は、血圧測定の中止時に、加圧制御手段１３へポンプを停止させるための通知を行うとともに、排気制御手段４３へ排気弁を全開にさせるための通知を行う。排気制御手段４３は、血圧値決定手段１６または判定手段１２から全開の通知を受け取ると、排気弁を全開にする。加圧制御手段１３は、血圧値決定手段１６または判定手段１２からポンプ停止の通知を受け取ると、ポンプの駆動を停止する。
【００５０】
図９は、この発明の実施の形態２にかかる電子血圧計の血圧測定手順を示すフローチャートである。図９に示すように、実施の形態２にかかる電子血圧計の血圧測定手順において、ステップＳ３１からステップＳ３５までは、実施の形態１のステップＳ１からステップＳ５までと同じである。従って、図６のステップＳ１からステップＳ５までの説明において、ステップＳ１、ステップＳ２、ステップＳ３、ステップＳ４およびステップＳ５をそれぞれステップＳ３１、ステップＳ３２、ステップＳ３３、ステップＳ３４およびステップＳ３５と読み替えるものとし、重複する説明を省略する。
【００５１】
血圧測定処理が開始されると、まず、ステップＳ３１からステップＳ３４までの処理が順次行われる。ステップＳ３４でタイマフラグＦの値が"０"に設定された後、カフ１の装着状態の判定が行われるが、ここでは、カフ１の加圧開始からさほど時間が経過しておらず、判定を行うタイミングに到達していないので、通常の加圧動作が続けられる（ステップＳ３５：Ｎｏ）。そして、脈波検出手段１５および血圧値決定手段１６は、カフ１の加圧中に、周知の血圧決定アルゴリズムにより、血圧測定を行う（ステップＳ３６）。
【００５２】
最高血圧値と最低血圧値の決定により血圧測定の終了となるが、ここでは、カフ１の加圧開始からさほど時間が経過しておらず、いずれの血圧値も決定していない。従って、血圧測定の終了とはならず（ステップＳ３７：Ｎｏ）、カフ１の加圧制御が続けられる（ステップＳ３８）。そして、ステップＳ３５に戻り、血圧測定が続けられる。
【００５３】
血圧測定中に最高血圧値と最低血圧値が決定すると、血圧測定の終了となる（ステップＳ３７：Ｙｅｓ）。血圧測定が終了すると、加圧制御手段１３は、加圧手段３によるカフ１の加圧を停止する（ステップＳ３９）。そして、排気制御手段４３は、急速排気手段４１の排気弁を全開にしてカフ１を急速に減圧させ（ステップＳ４０）、正常に血圧測定が終了する。
【００５４】
一方、ステップＳ３５で、カフ１の装着状態が緩い場合や未装着の場合には（ステップＳ３５：Ｙｅｓ）、加圧制御手段１３は、加圧手段３によるカフ１の加圧を停止する（ステップＳ３９）。そして、排気制御手段４３は、急速排気手段４１の排気弁を全開にしてカフ１の急速減圧を行い（ステップＳ４０）、血圧測定を中止する。
【００５５】
ステップＳ３５のカフ装着状態の判定手順については、図７を参照しながら実施の形態１で説明したとおりであるので、ここでは省略する。ただし、図７に関する説明のうち、ステップＳ３、ステップＳ４、ステップＳ６およびステップＳ１３をそれぞれステップＳ３３、ステップＳ３４、ステップＳ３６およびステップＳ３９と読み替え、図６を図９と読み替えるものとする。
【００５６】
以上説明したように、実施の形態１または２によれば、電池交換後の電源電圧が高い状態でも、電池の劣化により電源電圧が低下した状態でも、基準値設定テーブルからその電源電圧に応じて適切な基準値が得られるので、電源電圧に応じてカフ１の装着状態を判定することができる。従って、電源電圧が変動しても、カフ１の装着状態を正確に判定することができるという効果を奏する。また、カフ１の装着状態を正確に判定できることによって、血圧測定精度の悪化を回避できるだけでなく、カフ１の破損を防ぐことができる。
【産業上の利用可能性】
【００５７】
以上のように、本発明にかかる電子血圧計は、ユーザが自分でカフを上腕等に装着して血圧測定を行うタイプの電子血圧計に有用であり、特に、血圧測定を開始する前にカフの装着状態を判断する機能を備えた電子血圧計に適している。
【図面の簡単な説明】
【００５８】
【図１】この発明の実施の形態１にかかる電子血圧計の全体構成を示すブロック図である。
【図２】この発明の実施の形態１にかかる電子血圧計の判定手段の構成を示すブロック図である。
【図３】この発明の実施の形態１にかかる電子血圧計の基準値設定テーブルの一例を示す図表である。
【図４】この発明の実施の形態１にかかる電子血圧計の電源電圧値と基準値との関係の一例を示す特性図である。
【図５】この発明の実施の形態１にかかる電子血圧計の比較手段の構成を示すブロック図である。
【図６】この発明の実施の形態１にかかる電子血圧計の血圧測定手順を示すフローチャートである。
【図７】この発明の実施の形態１にかかる電子血圧計のカフ装着状態判定手順を示すフローチャートである。
【図８】この発明の実施の形態２にかかる電子血圧計の全体構成を示すブロック図である。
【図９】この発明の実施の形態２にかかる電子血圧計の血圧測定手順を示すフローチャートである。
【図１０】カフの装着状態と加圧中のカフ圧の変化との関係を示す特性図である。
【符号の説明】
【００５９】
１  カフ
２  圧力検出手段
３  加圧手段
４  減圧手段
９  電源
１１  電源電圧値測定手段
１２  判定手段
１３  加圧制御手段
１４  減圧制御手段
２１  基準値算出手段
２３  比較手段
３１  計時部
４１  急速排気手段
４３  排気制御手段
【図１】
2008188197.tif 000003
【図２】
2008188197.tif 000004
【図３】
2008188197.tif 000005
【図４】
2008188197.tif 000006
【図５】
2008188197.tif 000007
【図６】
2008188197.tif 000008
【図７】
2008188197.tif 000009
【図８】
2008188197.tif 000010
【図９】
2008188197.tif 000011
【図１０】
2008188197.tif 000012